(57)【要約】【課題】複数個の袋体を連結した連結式収納袋であって、複数個の袋体を連結して使用するか、又は１個の袋体を切り離して使うことを可能とする。【解決手段】左右一組の対をなす部材よりなる係合構造を有する連結具を具備し、前記右部材を袋体の中心線を通る平面上の右側面に、前記左部材を前記袋体の中心線を通る平面上の左側面に備える複数の袋体よりなり、前記複数の袋体を前記連結具により係脱自在に連結してなる。【選択図】図１
0003134190.tif 000002
【実用新案登録請求の範囲】
【請求項１】
左右一組の対をなす部材よりなる係合構造を有する連結具を具備し、前記右部材を袋体の中心線を通る平面上の右側面に、前記左部材を前記袋体の中心線を通る平面上の左側面に備える複数の袋体よりなり、前記複数の袋体を前記連結具により係脱自在に連結してなる連結式収納袋。
【考案の詳細な説明】
【技術分野】
【０００１】  本考案は、連結式収納袋に関するものである。
【背景技術】
【０００２】  複数個の収納袋を一体に形成する手段には、布製袋、網製袋の複数箇所の区切り部分を縫着して、複数個の収納物を収納可能とする方法が広く使われている。この公知の構造は単純であって、充分実用に耐えられると思われる。【０００３】  しかし、常時、複数個の収納袋を同時に利用するとは限らず、単独で収納物を収納したいとき不必要な空収納袋は邪魔になるという欠点がある。【０００４】  そこで、通常は、係脱自在に係合して一体化して使い、一部の収納部が非使用の場合、該収納部を切り離すことが出来れば便利である。登録実用新案第３０２８２８５号公報によれば、２つの収納部が分離又は合体自在に係合するように構成した例が提案されている。この技術は、収納部が上下に重なっており、下部収納部にいたっては、自由に収納内容物を取り出すことは不可能であり、ボトル等の飲料物を収納するのは適さないなどの問題があった。【０００５】
【特許文献１】登録実用新案第３０２８２８５号公報
【考案の開示】
【考案が解決しようとする課題】
【０００６】  解決しようとする問題点は、複数個の袋体を連結して使用するか、又は１個の袋体を切り離して使うことが出来る連結式収納袋を提供することにある。
【課題を解決するための手段】
【０００７】  本考案の連結式収納袋は、袋体に係合構造を有する連結具を具備し、袋体を係脱可能にすることを最も主要な特徴とする。
【考案の効果】
【０００８】  本考案の連結式収納袋は、袋体に係合構造を有する連結具を具備し、相対する袋体を係脱自在に連結出来るようにしたので、一部の収納袋を使用しない場合、該収納袋を切り離して、単独で使用することが出来るという利点がある。
【考案を実施するための最良の形態】
【０００９】  本考案の主体は、複数の袋体を有する収納袋において、袋体を連結具により連結可能とした点にある。請求項に記載の連結具には、オープンファスナー、面ファスナー、スナップ、フック、ボタンが利用出来る。
【実施例１】
【００１０】  実施例１は、本考案の最良の実施例であり、連結具としてオープンファスナーを用いている。オープンファスナーは、左右チェーンとスライダーよりなり、左右チェーンは、左右一組の対をなす連結具の部材であり、右チェーンはスライダーを備える。スライダーは、左右チェーンの係脱のための部材である。
図１は、本考案による連結式収納袋の平面図及び一部の断面図である。本図では、連結式収納袋は、連結具を切り離した状態を示す。図１（ａ）は、袋体１ｂ、図１（ｂ）は、袋体１ａを示す。図１（ｃ）は、図１（ｂ）のＡ−Ａ断面を示す。【００１１】  袋体１ａ、１ｂは、左右チェーン２ｂ、２ｃとスライダー２ａを備える。
袋体１ａは、袋体１ａの中心線を通る平面上の右側面上に左チェーン２ｃを備え、袋体１ａの中心線を通る平面上の左側面上に右チェーン２ｂ及びスライダー２ａを備える。
袋体１ｂは、袋体１ｂの中心線を通る平面上の右側面上に左チェーン２ｃを備え、袋体１ｂの中心線を通る平面上の左側面上に右チェーン２ｂ及びスライダー２ａを備える。
左右チェーンは、左右一組の対をなす部材よりなる係合構造であって、務歯つき布テープよりなり、袋体にそれぞれ縫着されている。
右チェーン２ｂ及び左チェーン２ｃは、スライダー２ａによって、開閉自在の機能を有するオープンファスナー２を形成する。以下、複数の袋体は同様の連結具を装備する。
袋体を連結するときは、オープンファスナー２を綴じる。【００１２】  袋体１ａ、１ｂは、袋体前側面に、ポケット５を縫着する。ポケット５は、３区分に構成され、中心部は小物入れ５ａで、メモ帳、ティッシュ入れとして利用可能であり、左右部分は、筆記具入れ５ｂとして利用可能とするものである。小物入れの内部に面ファスナー６ａ，６ｂを接着又は縫着し、収容物の逸脱を防ぐ。このポケット５は、収納袋の利便性を支援しようとする試みの一例である。図示されていないが、袋体１ａの後部側面に他のポケットを縫着して切符など収納可能にして、連結式収納袋の利便性を更に支援しようとする試みも考えられる。【００１３】  袋体１ａ、１ｂは、収納物を挿脱自在に収納する収納空間３を有する。袋体１ａ，１ｂの内側には、保温部材４を内張乃至は装着する。袋体１ａ，１ｂの上部は、巾着式になっており、ボトル等の収納物を収納したあと、綴じ紐１０によって、収納物の逸脱を防ぐ。【００１４】  袋体の素材は、ポリエステル系布地であり、保温材は、ポリスチロール係断熱材である。【００１５】  袋体１ａは、上部左右にベルト１２及び係止具留め９を縫着する。係止具留め９には係止具７，８が配設されている。袋体１ｂは、上部左右に係止具留め９を縫着する。係止具留め９には係止具７，８が配設されている。ベルト１１は、袋体１ｂ係止具８及び袋体１ａ係止具７に、取り外し自在に、装着する。【００１６】  本考案の連結式収納袋は、袋体を係脱可能にすることに特徴がある。オープンファスナーを切り離して、袋体１ａを単独で使用する場合は、ベルト１２を使い、オープンファスナーを綴じ、袋体１ａ、１ｂを合体して使用する場合は、ベルト１１を使う。
複数袋体を使用するときには、ベルト１１，１２は、前記の装着方法にはこだわらない。【００１７】  図２の実施例は、複数の袋体を連結した場合を単純化した説明図で示す。
図２（ａ）は、同じサイズの複数の袋体１をオープンファスナー２で係脱可能に連結した例である。図２（ｂ）は、サイズの異なる袋体１をオープンファスナー２で係脱可能に連結した例である。
【産業上の利用可能性】
【００１８】  本考案の特徴とする、袋体に連結具を有し、袋体を係脱可能にする技術は、旅行鞄、リュックサックなど手提げ、背負いによる運搬手段、運搬用具に広く利用出来る。
【図面の簡単な説明】
【００１９】
【図１】本考案による連結式収納袋の平面図及びＡ−Ａ断面図である。（実施例１）
【図２】本考案による連結式収納袋において、複数の袋体を連結した場合を単純化して示した説明図である。
【符号の説明】
【００２０】１  袋体
１ａ，１ｂ  袋体
２  オープンファスナー
２ａ  スライド
２ｂ  右チェーン
２ｃ  左チェーン
３  袋体内部空間
４  保温部材
５  ポケット
５ａ  小物入れ
５ｂ  筆記具入れ
６ａ、６ｂ  面ファスナー
７，８  係止具
９  係止具留め
１０  綴じ紐
１１、１２  ベルト
【図１】
0003134190.tif 000003
【図２】
0003134190.tif 000004